【手続補正書】
【提出日】平成19年10月2日(2007.10.2)
【手続補正１】
【補正対象書類名】特許請求の範囲
【補正対象項目名】請求項１６
【補正方法】変更
【補正の内容】
【請求項１６】
グラフィックオブジェクトグループを合成する手順を、コンピュータに実行させるように構成されたプログラムが記録されたコンピュータ可読媒体であって、
一時バッファ内に前記オブジェクトグループを形成するための手順と、
前記オブジェクトグループ中の各オブジェクトに対して、対応するクリッピングパスを提供するための手順と、
前記クリッピングパスの結合により規定された合成クリッピングパスを計算するための手順と、
前記合成クリッピングパスを介して、前記一時バッファからの前記オブジェクトグループを主バッファに合成するための手順と
をコンピュータに実行させるためのプログラムが記録されたコンピュータ可読媒体。
【手続補正２】
【補正対象書類名】特許請求の範囲
【補正対象項目名】請求項１７
【補正方法】変更
【補正の内容】
【請求項１７】
グラフィックオブジェクトグループを合成する処理をコンピュータに実行させるためのコンピュータプログラムであって、
一時バッファ内に前記オブジェクトグループを形成するための手順と、
前記オブジェクトグループ中の各オブジェクトに対して、対応するクリッピングパスを提供するための手順と、
前記クリッピングパスの結合により規定された合成クリッピングパスを計算するための手順と、
前記合成クリッピングパスを介して、前記一時バッファからの前記オブジェクトグループを主バッファに合成するための手順と
をコンピュータに実行させるためのコンピュータプログラム。
【手続補正３】
【補正対象書類名】特許請求の範囲
【補正対象項目名】請求項２８
【補正方法】変更
【補正の内容】
【請求項２８】
特定の合成動作を使用して、主バッファ上にグラフィックオブジェクトグループを合成する手順を、コンピュータに実行させるように構成されたプログラムが記録されたコンピュータ可読媒体であって、
一時バッファ内に前記オブジェクトグループを形成するための手順と、
前記オブジェクトグループ中の各オブジェクトに対して、対応するクリッピングパスを提供するための手順と、
前記クリッピングパスの結合により規定された合成クリッピングパスを計算するための手順と、
前記特定の合成動作と相補する合成動作を使用して、前記一時バッファ内の前記オブジェクトグループ上に前記主バッファを合成するための手順と、
前記合成クリッピングパスを介して、前記主バッファ上に前記一時バッファをコピーするための手順と
をコンピュータに実行させるためのプログラムが記録されたコンピュータ可読媒体。
【手続補正４】
【補正対象書類名】特許請求の範囲
【補正対象項目名】請求項２９
【補正方法】変更
【補正の内容】
【請求項２９】
特定の合成動作を使用して、主バッファ上にグラフィックオブジェクトグループを合成する処理をコンピュータに実行させるためのコンピュータプログラムであって、
一時バッファ内に前記オブジェクトグループを形成するための手順と、
前記オブジェクトグループ中の各オブジェクトに対して、対応するクリッピングパスを提供するための手順と、
前記クリッピングパスの結合により規定された合成クリッピングパスを計算するための手順と、
前記特定の合成動作と相補する合成動作を使用して、前記一時バッファ内の前記オブジェクトグループ上に前記主バッファを合成するための手順と、
前記合成クリッピングパスを介して、前記主バッファに前記一時バッファをコピーするための手順と
をコンピュータに実行させるためのコンピュータプログラム。
【手続補正５】
【補正対象書類名】特許請求の範囲
【補正対象項目名】請求項３２
【補正方法】変更
【補正の内容】
【請求項３２】
特定の合成動作を使用して、クリッピングパスを介して第２のグラフィックオブジェクト上にグラフィックオブジェクトを合成する手順を、コンピュータに実行させるように構成されたプログラムが記録されたコンピュータ可読媒体であって、
前記特定の合成動作と相補する第２の合成動作を使用して、前記グラフィックオブジェクトを含むバッファ上に前記第２のグラフィックオブジェクトを合成するための手順と、
前記クリッピングパスを介して、前記第２のグラフィックオブジェクトを含む第２のバッファ上に前記バッファの内容をコピーするための手順と
をコンピュータに実行させるためのプログラムが記録されたコンピュータ可読媒体。
【手続補正６】
【補正対象書類名】特許請求の範囲
【補正対象項目名】請求項３３
【補正方法】変更
【補正の内容】
【請求項３３】
特定の合成動作を使用して、クリッピングパスを介して第２のグラフィックオブジェクト上にグラフィックオブジェクトを合成する処理をコンピュータに実行させるためのコンピュータプログラムであって、
前記特定の合成動作と相補する第２の合成動作を使用して、前記グラフィックオブジェクトを含むバッファ上に前記第２のグラフィックオブジェクトを合成するための手順と、
前記クリッピングパスを介して、前記第２のグラフィックオブジェクトを含む第２のバッファ上に前記バッファの内容をコピーするための手順と
をコンピュータに実行させるためのコンピュータプログラム。
【手続補正７】
【補正対象書類名】明細書
【補正対象項目名】００２０
【補正方法】変更
【補正の内容】
【００２０】
更に別の面によれば、本発明は、グラフィックオブジェクトグループを合成する手順を、コンピュータに実行させるように構成されたプログラムが記録されたコンピュータ可読媒体であって、
一時バッファ内に前記オブジェクトグループを形成するための手順と、
前記オブジェクトグループ中の各オブジェクトに対して、対応するクリッピングパスを提供するための手順と、
前記クリッピングパスの結合により規定された合成クリッピングパスを計算するための手順と、
前記合成クリッピングパスを介して、前記一時バッファからの前記オブジェクトグループを主バッファに合成するための手順と
をコンピュータに実行させるためのプログラムが記録されたコンピュータ可読媒体を提供する。
【手続補正８】
【補正対象書類名】明細書
【補正対象項目名】００２１
【補正方法】変更
【補正の内容】
【００２１】
更に別の面によれば、本発明は、グラフィックオブジェクトグループを合成する処理をコンピュータに実行させるためのコンピュータプログラムであって、
一時バッファ内に前記オブジェクトグループを形成するための手順と、
前記オブジェクトグループ中の各オブジェクトに対して、対応するクリッピングパスを提供するための手順と、
前記クリッピングパスの結合により規定された合成クリッピングパスを計算するための手順と、
前記合成クリッピングパスを介して、前記一時バッファからの前記オブジェクトグループを主バッファに合成するための手順と
をコンピュータに実行させるためのコンピュータプログラムを提供する。
【手続補正９】
【補正対象書類名】明細書
【補正対象項目名】００２５
【補正方法】変更
【補正の内容】
【００２５】
更に別の面によれば、本発明は、特定の合成動作を使用して、主バッファ上にグラフィックオブジェクトグループを合成する手順を、コンピュータに実行させるように構成されたプログラムが記録されたコンピュータ可読媒体であって、
一時バッファ内に前記オブジェクトグループを形成するための手順と、
前記オブジェクトグループ中の各オブジェクトに対して、対応するクリッピングパスを提供するための手順と、
前記クリッピングパスの結合により規定された合成クリッピングパスを計算するための手順と、
前記特定の合成動作と相補する合成動作を使用して、前記一時バッファ内の前記オブジェクトグループ上に前記主バッファを合成するための手順と、
前記合成クリッピングパスを介して、前記主バッファ上に前記一時バッファをコピーするための手順と
をコンピュータに実行させるためのプログラムが記録されたコンピュータ可読媒体を提供する。
【手続補正１０】
【補正対象書類名】明細書
【補正対象項目名】００２６
【補正方法】変更
【補正の内容】
【００２６】
更に別の面によれば、本発明は、特定の合成動作を使用して、主バッファ上にグラフィックオブジェクトグループを合成する処理をコンピュータに実行させるためのコンピュータプログラムであって、
一時バッファ内に前記オブジェクトグループを形成するための手順と、
前記オブジェクトグループ中の各オブジェクトに対して、対応するクリッピングパスを提供するための手順と、
前記クリッピングパスの結合により規定された合成クリッピングパスを計算するための手順と、
前記特定の合成動作と相補する合成動作を使用して、前記一時バッファ内の前記オブジェクトグループ上に前記主バッファを合成するための手順と、
前記合成クリッピングパスを介して、前記主バッファに前記一時バッファをコピーするための手順と
をコンピュータに実行させるためのコンピュータプログラムを提供する。
【手続補正１１】
【補正対象書類名】明細書
【補正対象項目名】００２９
【補正方法】変更
【補正の内容】
【００２９】
更に別の面によれば、本発明は、特定の合成動作を使用して、クリッピングパスを介して第２のグラフィックオブジェクト上にグラフィックオブジェクトを合成する手順を、コンピュータに実行させるように構成されたプログラムが記録されたコンピュータ可読媒体であって、
前記特定の合成動作と相補する第２の合成動作を使用して、前記グラフィックオブジェクトを含むバッファ上に前記第２のグラフィックオブジェクトを合成するための手順と、
前記クリッピングパスを介して、前記第２のグラフィックオブジェクトを含む第２のバッファ上に前記バッファの内容をコピーするための手順と
をコンピュータに実行させるためのプログラムが記録されたコンピュータ可読媒体を提供する。
【手続補正１２】
【補正対象書類名】明細書
【補正対象項目名】００３０
【補正方法】変更
【補正の内容】
【００３０】
更に別の面によれば、本発明は、特定の合成動作を使用して、クリッピングパスを介して第２のグラフィックオブジェクト上にグラフィックオブジェクトを合成する処理をコンピュータに実行させるためのコンピュータプログラムであって、
前記特定の合成動作と相補する第２の合成動作を使用して、前記グラフィックオブジェクトを含むバッファ上に前記第２のグラフィックオブジェクトを合成するための手順と、
前記クリッピングパスを介して、前記第２のグラフィックオブジェクトを含む第２のバッファ上に前記バッファの内容をコピーするための手順と
をコンピュータに実行させるためのコンピュータプログラムを提供する。